【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
画像処理装置と画像表示装置からなる画像表示システムであって、
画像処理装置は、
画像表示装置と通信する第１通信手段と、
前記第１通信手段により前記画像表示装置と通信開始した場合に、前記画像表示装置から送られてくる能力情報に基づき、表示すべき画像を送信する画像送信手段とを有し、
前記画像表示装置は、
画像処理装置と通信する第２通信手段と、
前記第２通信手段により前記画像処理装置と通信開始した場合に、前記画像処理装置に能力情報を送信する能力情報送信手段とを有し、
前記能力情報は、印刷用の通信プロトコルに基づき伝達される印刷用紙に関する能力の中に、標準を示す選択肢とともに、前記画像表示装置の表示解像度に対応させた情報を含む選択肢を含ませていることを特徴とする画像表示システム。
【請求項２】
前記画像処理装置は、受信した能力情報に含まれる前記表示解像度に対応させた情報に基づいて、前記画像表示装置に送信すべき画像をリサイズするリサイズ手段を有する事を特徴とする請求項１に記載の画像表示システム。
【請求項３】
前記画像処理装置は前記印刷用の通信プロトコルに基づく印刷設定画面を表示可能であり、前記能力情報を受信したことに基づき、前記印刷設定画面に表示する用紙サイズの選択肢として、デフォルトを表示するとともに、前記表示解像度情報に基づく選択肢は表示しないよう制御することを特徴とする請求項１ないし２のいずれか１項に記載の画像表示システム。
【請求項４】
前記画像処理装置は、デジタルカメラであることを特徴とする請求項１ないし３のいずれか１項に記載の画像表示システム。
【請求項５】
画像表示装置と通信する第１通信手段と、前記第１通信手段により前記画像表示装置と通信開始した場合に、前記画像表示装置から送られてくる能力情報に基づき、表示すべき画像を送信する画像送信手段とを有する画像処理装置と通信可能な画像表示装置であって、
前記画像処理装置と通信する第２通信手段と、
前記第２通信手段により前記画像処理装置と通信開始した場合に、前記画像処理装置に能力情報を送信する能力情報送信手段とを有し、
前記能力情報は、印刷用の通信プロトコルに基づき伝達される印刷用紙に関する能力の中に、標準を示す選択肢とともに、前記画像表示装置の表示解像度に対応させた情報を含む選択肢を含ませていることを特徴とする画像表示装置。
【請求項６】
画像処理装置と通信開始した場合に、前記画像処理装置に能力情報を送信する能力情報送信手段とを有し、前記能力情報として、印刷用の通信プロトコルに基づき伝達される印刷用紙に関する能力の中に、標準を示す選択肢とともに、前記画像表示装置の表示解像度に対応させた情報を含む選択肢を含ませる画像表示装置と通信可能な画像処理装置であって、
画像表示装置と通信する通信手段と、
前記通信手段により前記画像表示装置と通信開始した場合に、前記画像表示装置から送られてくる前記表示解像度に対応させた情報に基づき、送信すべき画像をリサイズするリサイズ手段と、
前記リサイズ手段によりリサイズされた画像を前記画像表示装置に送信する送信手段とを有することを特徴とする画像処理装置。
【請求項７】
さらに、前記印刷用の通信プロトコルに基づく印刷設定画面を表示可能であり、前記能力情報を受信したことに基づき、前記印刷設定画面に表示する用紙サイズの選択肢として、デフォルトを表示するとともに、前記表示解像度情報に基づく選択肢は表示しないよう制御することを特徴とする請求項５に記載の画像処理装置。
【請求項８】
画像表示装置と通信する第１通信手段と、前記第１通信手段により前記画像表示装置と通信開始した場合に、前記画像表示装置から送られてくる能力情報に基づき、表示すべき画像を送信する画像送信手段とを有する画像処理装置と通信可能な画像表示装置の制御方法であって、
前記画像処理装置と通信する第２通信工程と、
前記第２通信工程により前記画像処理装置と通信開始した場合に、前記画像処理装置に能力情報を送信する能力情報送信工程とを有し、
前記能力情報は、印刷用の通信プロトコルに基づき伝達される印刷用紙に関する能力の中に、標準を示す選択肢とともに、前記画像表示装置の表示解像度に対応させた情報を含む選択肢を含ませていることを特徴とする画像表示装置の制御方法。
【請求項９】
画像処理装置と通信開始した場合に、前記画像処理装置に能力情報を送信する能力情報送信手段とを有し、前記能力情報として、印刷用の通信プロトコルに基づき伝達される印刷用紙に関する能力の中に、標準を示す選択肢とともに、前記画像表示装置の表示解像度に対応させた情報を含む選択肢を含ませる画像表示装置と通信可能な画像処理装置の制御方法であって、
画像表示装置と通信する通信工程と、
前記通信工程により前記画像表示装置と通信開始した場合に、前記画像表示装置から送られてくる前記表示解像度に対応させた情報に基づき、送信すべき画像をリサイズするリサイズ工程と、
前記リサイズ工程によりリサイズされた画像を前記画像表示装置に送信する送信工程とを有することを特徴とする画像処理装置の制御方法。
【手続補正２】
【補正対象書類名】明細書
【補正対象項目名】００１２
【補正方法】変更
【補正の内容】
【００１２】
上記課題を解決する為、本発明における画像表示システムは、画像処理装置と画像表示装置からなる画像表示システムであって、画像処理装置は、画像表示装置と通信する第１通信手段と、前記第１通信手段により画像表示装置と通信開始した場合に、画像表示装置から送られてくる能力情報に基づき、表示すべき画像を送信する画像送信手段とを有し、画像表示装置は、画像処理装置と通信する第２通信手段と、第２通信手段により画像処理装置と通信開始した場合に、画像処理装置に能力情報を送信する能力情報送信手段とを有し、能力情報は、印刷用の通信プロトコルに基づき伝達される印刷用紙に関する能力の中に、標準を示す選択肢とともに、画像表示装置の表示解像度に対応させた情報を含む選択肢を含ませていることを特徴とする。
【手続補正３】
【補正対象書類名】明細書
【補正対象項目名】００１３
【補正方法】変更
【補正の内容】
【００１３】
また、本発明における画像表示装置は、画像表示装置と通信する第１通信手段と、第１通信手段により画像表示装置と通信開始した場合に、画像表示装置から送られてくる能力情報に基づき、表示すべき画像を送信する画像送信手段とを有する画像処理装置と通信可能な画像表示装置であって、画像処理装置と通信する第２通信手段と、第２通信手段により画像処理装置と通信開始した場合に、画像処理装置に能力情報を送信する能力情報送信手段とを有し、能力情報は、印刷用の通信プロトコルに基づき伝達される印刷用紙に関する能力の中に、標準を示す選択肢とともに、画像表示装置の表示解像度に対応させた情報を含む選択肢を含ませていることを特徴とする。
【手続補正４】
【補正対象書類名】明細書
【補正対象項目名】００１４
【補正方法】変更
【補正の内容】
【００１４】
また、本発明における画像処理装置は、画像処理装置と通信開始した場合に、画像処理装置に能力情報を送信する能力情報送信手段とを有し、能力情報として、印刷用の通信プロトコルに基づき伝達される印刷用紙に関する能力の中に、標準を示す選択肢とともに、画像表示装置の表示解像度に対応させた情報を含む選択肢を含ませる画像表示装置と通信可能な画像処理装置であって、画像表示装置と通信する通信手段と、通信手段により画像表示装置と通信開始した場合に、画像表示装置から送られてくる表示解像度に対応させた情報に基づき、送信すべき画像をリサイズするリサイズ手段と、リサイズ手段によりリサイズされた画像を画像表示装置に送信する送信手段とを有することを特徴とする。